(57)【要約】【課題】簡略な構造にて原料のガス化を促進できるようにした循環流動層ガス化炉を提供する。【解決手段】燃焼炉１と、燃焼炉１から取り出した燃焼ガス３を導入して循環媒体５を捕集するサイクロン補集器４と、サイクロン補集器４で捕集した循環媒体５をダウンカマー７を介して導入し、下部からガス化剤９を供給して流動層１０を形成すると共にフリーボード部１１に原料１２を供給して原料１２のガス化を行う流動層ガス化炉８と、流動層ガス化炉８の循環媒体とガス化されない未反応のチャーとを燃焼炉１に戻す循環流路１４と、を有する循環流動層ガス化炉であって、サイクロン補集器４に接続されたダウンカマー７の下端を、シール部１８を介して流動層ガス化炉８のフリーボード部１１に接続し、シール部１８とフリーボード部１１との間の循環媒体５に原料１２を供給する原料供給装置２０を設ける。【選択図】図１
2010018749.tif 000002
【特許請求の範囲】
【請求項１】
チャーを燃焼させて循環媒体を加熱する燃焼炉と、燃焼炉から取り出した燃焼ガスを導入して該燃焼ガス中に混入している循環媒体を捕集するサイクロン補集器と、サイクロン補集器で捕集した循環媒体をダウンカマーを介して導入し、下部からガス化剤を供給して流動層を形成すると共にフリーボード部に原料を供給して原料のガス化を行う流動層ガス化炉と、流動層ガス化炉の循環媒体とガス化されない未反応のチャーとを前記燃焼炉に戻す循環流路と、を有する循環流動層ガス化炉であって、前記サイクロン補集器に接続されたダウンカマーの下端を、シール部を介して前記流動層ガス化炉のフリーボード部に接続し、前記シール部とフリーボード部との間の循環媒体に原料を供給する原料供給装置を設けたことを特徴とする循環流動層ガス化炉。
【請求項２】
前記原料供給装置がスクリューフィーダである請求項１に記載の循環流動層ガス化炉。
【請求項３】
前記シール部がＵ字ダクトであり、Ｕ字ダクトとフリーボード部との間を繋ぐ傾斜管に原料供給装置を接続した請求項１又は２に記載の循環流動層ガス化炉。
【発明の詳細な説明】
【技術分野】
【０００１】
本発明は、簡略な構造にて原料のガス化を促進できるようにした循環流動層ガス化炉に関する。
【背景技術】
【０００２】
近年、石油の枯渇の問題から、石油精製時の残渣である石油コークスや現在有効利用されていない資源であるオイルサンド、ビチューメン、褐炭等の低質炭やその他の化石燃料、バイオマス、タイヤチップ等を原料としてガス化を行い、水素及び炭化水素等を主体とするガス化ガスを得て有効利用することが提案されており、循環流動層ガス化炉としては特許文献１がある。
【０００３】
図２は、特許文献１に代表される循環流動層ガス化炉の概略を示したもので、空気２によりチャーを燃焼して循環媒体の加熱を行う燃焼炉１（流動燃焼炉）を有しており、燃焼炉１からの燃焼ガス３はサイクロン捕集器４に導入して循環媒体５を捕集すると共に排ガス６を排出し、捕集した循環媒体５はダウンカマー７を介して流動層ガス化炉８に供給すると共に該流動層ガス化炉８の下部には水蒸気、空気等のガス化剤９を供給して流動層１０を形成し、更に流動層ガス化炉８のフリーボード部１１には原料１２を供給することにより原料１２のガス化を行ってガス化ガス１３を生成し、流動層ガス化炉８内における循環媒体５とガス化されない未反応の固形分であるチャーは循環流路１４により前記燃焼炉１に戻してチャーの燃焼を行うようにしている。
【０００４】
図２の循環流動層ガス化炉では、流動層ガス化炉８において高い燃焼性を有するガス化ガス１３が生成されるため、燃焼炉１と流動層ガス化炉８との間にはガスの移動を阻止するためのＵ字ダクト等からなるシール部１５を備えており、又、サイクロン捕集器４に接続されたダウンカマー７の下端は、サイクロン捕集器４からの循環媒体５を流動層ガス化炉８の流動層１０の内部に供給するように接続することによってガスの移動を阻止するシール部１６を構成している。尚、上記シール部１５，１６としては、流動層ガス化炉８内に、流動層１０の内部で循環媒体が移動できるように接続したガス化室とシール室とを区画して設け、このシール室に前記循環流路１４或いはダウンカマー７の下端を接続するようにしたものもある。
【０００５】
上記循環流動層ガス化炉において、流動層ガス化炉８に原料１２を供給する方法としては、図２に示すように流動層ガス化炉８における流動層１０上部のフリーボード部１１に供給する層上供給方式と、流動層ガス化炉８における流動層１０の内部に供給する層内供給方式とがある。
【０００６】
層内供給方式を示す装置としては、焼却炉において、流動層の内部にスクリューフィーダによって原料を押し込んで供給するようにしたものがある（特許文献２、３等参照）。
【特許文献１】特開２００５−０４１９５９号公報
【特許文献２】特開２０００−２５７８２８号公報
【特許文献３】特開昭５７−１４４８１３号公報
【発明の開示】
【発明が解決しようとする課題】
【０００７】
特許文献２、３に示すように、焼却炉の流動層の内部にスクリューフィーダによって原料を押し込んで供給する層内供給方式を、図２の循環流動層ガス化炉に適用した場合には、流動層内に原料が直接供給されるために原料が循環媒体と接触・混合される滞留時間を長く維持でき、更に原料の微粉がフリーボード部に飛散してガス化されずに取り出される問題を低減できることにより、ガス化性能を高められるという効果がある反面、スクリューフィーダ内の原料が流動層の高温の熱により焼付きを起こして安定した運転ができなくなったり、又、特に流動層ガス化炉の停止時には原料の供給が停止されるが、原料の供給を停止すると流動層からの熱影響によって原料が焼付きスクリューフィーダがスティックして回転不能になったり、焼損するといった問題がある。従って、層内供給方式では、原料の安定した供給を行うための対策が必要となるが、ハード面での要求仕様が高く、従ってコスト面、運用面でのハードルが高いという問題があり、よって一般的には層内供給方式は採用し難いのが現状である。
【０００８】
一方、図２に示すような層上供給方式では、前記層内供給方式と比較して熱影響等の問題を殆ど考慮する必要がなく容易に実施できることから一般的に採用されている。
【０００９】
しかし、層上供給方式の場合には、流動層１０上に供給された原料１２は流動層１０の層上を移動する傾向があり、従って原料を流動層１０内に入り込ませて循環媒体５と接触・混合する滞留時間を長く維持することができず、更に原料の微粉がフリーボード部１１に飛散してガス化されずに取り出されてしまうために、ガス化性能を高めることに限界があった。従って、滞留時間を長く維持してガス化性能を高めるためには、流動層ガス化炉８を大型にする必要があるという問題を有していた。
【００１０】
本発明は、上記実情に鑑みてなしたもので、簡略な構造にて原料のガス化を促進できるようにした循環流動層ガス化炉を提供しようとするものである。
【課題を解決するための手段】
【００１１】
本発明は、チャーを燃焼させて循環媒体を加熱する燃焼炉と、燃焼炉から取り出した燃焼ガスを導入して該燃焼ガス中に混入している循環媒体を捕集するサイクロン補集器と、サイクロン補集器で捕集した循環媒体をダウンカマーを介して導入し、下部からガス化剤を供給して流動層を形成すると共にフリーボード部に原料を供給して原料のガス化を行う流動層ガス化炉と、流動層ガス化炉の循環媒体とガス化されない未反応のチャーとを前記燃焼炉に戻す循環流路と、を有する循環流動層ガス化炉であって、前記サイクロン補集器に接続されたダウンカマーの下端を、シール部を介して前記流動層ガス化炉のフリーボード部に接続し、前記シール部とフリーボード部との間の循環媒体に原料を供給する原料供給装置を設けたことを特徴とする循環流動層ガス化炉、に係るものである。
【００１２】
上記循環流動層ガス化炉において、前記原料供給装置がスクリューフィーダであることは好ましい。
【００１３】
又、上記循環流動層ガス化炉において、前記シール部がＵ字ダクトであり、Ｕ字ダクトとフリーボード部との間を繋ぐ傾斜管に原料供給装置を接続したことは好ましい。
【発明の効果】
【００１４】
本発明の循環流動層ガス化炉によれば、サイクロン補集器に接続されたダウンカマーの下端をシール部を介して流動層ガス化炉のフリーボード部に接続し、シール部とフリーボード部との間の循環媒体に原料を供給する原料供給装置を設けているので、シール部とフリーボード部との間の循環媒体に供給された原料は、循環媒体と共に流動層の内部に潜り込むように供給され、従来の層上供給方式に比べて、流動層の内部において原料が循環媒体と接触・混合される滞留時間が長く維持されるようになり、よってガス化性能を大幅に高めることができる効果がある。
【００１５】
更に、原料は、シール部からの高温の循環媒体と直接混合されることにより加熱され、特にこの時、微粉は瞬時に加熱されるため、微粉は混合されると同時に或いはフリーボード部でガス化されるようになり、よって、原料中の微粉がフリーボード部に飛散してガス化されずに取り出されるという問題が低減されるので、これによってもガス化性能が高められる効果がある。
【発明を実施するための最良の形態】
【００１６】
以下、本発明の実施の形態を添付図面を参照して説明する。
【００１７】
図１は、前記図２の循環流動層ガス化炉に適用した本発明の形態の一例を示す正面図であり、図１中、図２と同じ符号を付した部分は同一物を表わしている。
【００１８】
図１に示すように、燃焼炉１からの燃焼ガス３に含まれる循環媒体５を補集するサイクロン補集器４に上端が接続されたダウンカマー７の下部には、Ｕ字ダクト１７からなるシール部１８が設けてあり、該シール部１８から下方に傾斜して延びた傾斜管１９の下端を、流動層ガス化炉８の炉壁を貫通させてフリーボード部１１に接続し、サイクロン補集器４からの循環媒体５をシール部１８及び傾斜管１９を介してフリーボード部１１に供給するようにしている。
【００１９】
上記構成において、シール部１８とフリーボード部１１との間の循環媒体５に原料１２を供給するようにした原料供給装置２０を設ける。
【００２０】
図１に示す原料供給装置２０は、原料ホッパ２１の下部にモータ２２で駆動されるスクリューフィーダ２３を有しており、前記原料ホッパ２１内の原料１２を、スクリューフィーダ２３の駆動により鉛直の供給管２４を介して前記傾斜管１９に供給するようにしている。
【００２１】
図１に示す形態では以下のように作用する。
【００２２】
燃焼炉１からの燃焼ガス３はサイクロン捕集器４に導入されて循環媒体５が捕集され、捕集した循環媒体５はダウンカマー７の下部に備えたシール部１８及び傾斜管１９を介して流動層ガス化炉８のフリーボード部１１に供給され、下部から供給される水蒸気、空気等のガス化剤９により流動化されて流動層１０が形成される。
【００２３】
一方、前記シール部１８とフリーボード部１１との間を繋ぐ傾斜管１９には、原料供給装置２０のスクリューフィーダ２３を駆動することにより原料ホッパ２１の原料１２が供給管２４を介して供給される。この時、スクリューフィーダ２３によって傾斜管１９に原料１２を供給するようにしているので、スクリューフィーダ２３内には原料１２が充填されており、この充填された原料１２によって、傾斜管１９と原料供給装置２０との間のガスの移動は阻止される。
【００２４】
傾斜管１９に供給された原料１２は、傾斜管１９内を流下する循環媒体５と混合されて流動層１０に落下することになるため、原料１２は循環媒体５と共に流動層１０の内部に潜り込むように供給される。
【００２５】
上記したように流動層１０の内部に潜り込むように供給された原料１２は循環媒体５と接触・混合して加熱されると共にガス化剤９の作用によりガス化されて、ガス化ガス１３が取り出される。又、流動層ガス化炉８内における循環媒体とガス化されない未反応のチャーは循環流路１４により燃焼炉１に戻されて、チャーが燃焼されることにより循環媒体の加熱が行われる。
【００２６】
上記したように、原料供給装置２０によって傾斜管１９に供給された原料１２は、傾斜管１９の内部を流下する循環媒体５と共に流動層１０の内部に潜り込むように供給されるため、従来の層上供給方式に比べて、流動層１０の内部において原料１２が循環媒体と接触・混合する滞留時間が長く維持されるようになり、よってガス化性能を大幅に高めることができる。
【００２７】
更に、傾斜管１９に供給された原料１２は、傾斜管１９の内部を流下する高温の循環媒体５と直接混合して加熱され、更にこの時、微粉は瞬時に加熱されるため、微粉は傾斜管１９の内部びフリーボード部１１でガス化されるようになり、よって、原料１２中の微粉がフリーボード部１１に飛散してガス化されずに取り出されるという問題が低減されるので、これによってもガス化性能が高められる。上記したように、簡単な構成にてガス化性能が高められることにより、従来の層上供給方式に比べて、流動層ガス化炉８を小型のものとすることが可能になる。
【００２８】
なお、本発明は上記形態にのみ限定されるものではなく、種々の形式の循環流動層ガス化炉に適用できること、その他、本発明の要旨を逸脱しない範囲内において種々変更を加え得ることは勿論である。
【図面の簡単な説明】
【００２９】
【図１】本発明の循環流動層ガス化炉の形態の一例を示す正面図である。
【図２】従来の循環流動層ガス化炉の概略を示す正面図である。
【符号の説明】
【００３０】
１  燃焼炉
３  燃焼ガス
４  サイクロン補集器
５  循環媒体
７  ダウンカマー
８  流動層ガス化炉
９  ガス化剤
１０  流動層
１１  フリーボード部
１２  原料
１４  循環流路
１７  Ｕ字ダクト
１８  シール部
１９  傾斜管
２０  原料供給装置
２３  スクリューフィーダ
【図１】
2010018749.tif 000003
【図２】
2010018749.tif 000004